(57)【要約】【課題】  表示部を２つ持つ折り畳み式携帯通信端末はユーザーへ示すべき内容や情報を、開閉の状態によって第１の表示部と第２の表示部それぞれに入れ替える制御を行っており、同じ内容を２つの表示部にそれぞれ表示させるため効率が悪く、わかりづらい。【解決手段】  携帯電話機１００は、ヒンジ部２００を中心に第１の筐体１０１、第２の筐体１０２をそれぞれ前面方向に回動することによって、第１の表示部４及びキー入力部６が内側に対面するように閉じられた閉状態のときには、筐体１０１は筐体１０２の上に重なるが、筐体１０２上の破線Ａと筐体１０１の先端部が重なり、閉状態でも第２の表示部５が露出している。つまり、閉状態においても第２の表示部５の表示内容を確認することができる。第２の表示部５の表示内容は、閉状態には左右されず、閉状態前に表示していた内容をそのまま表示しており、常に同じ情報を入手することができる。【選択図】            図１
2006261721.tif 000002
【特許請求の範囲】
【請求項１】
第１の表示部と第２の表示部とを持つ携帯通信端末であって、
前記第１の表示部と前記第２の表示部は一方向から同時に視認可能な配置位置に設けられており、前記第１の表示部と前記第２の表示部に、表示内容を分担し、かつ、互いに異なる表示内容を表示するように構成したことを特徴とする携帯通信端末。
【請求項２】
第１の表示部と第２の表示部とを持つ携帯通信端末であって、
前記第１の表示部と前記第２の表示部は一方向から同時に視認可能な配置位置に設けられており、前記第１の表示部には画像やテキストを表示し、前記第２の表示部には前記画像やテキスト以外の記号又はアイコンを表示するように構成したことを特徴とする携帯通信端末。
【請求項３】
前記第２の表示部は、アンテナバーや電池バー等の記号又はアイコンを表示することを特徴とする請求項１又は２記載の携帯通信端末。
【請求項４】
第１の表示部と第２の表示部とを持つ携帯通信端末であって、
前記第１の表示部と前記第２の表示部は一方向から同時に視認可能な配置位置に設けられており、前記第１の表示部の表示はオン又はオフに制御し、前記第２の表示部の表示はオンに制御すると共に、前記第１の表示部の表示をオフしたときは、前記第１の表示部が表示オフされる直前に表示していた情報を前記第２の表示部に移動せず、前記第２の表示部には前記第１の表示部の表示とは異なる内容の情報を表示する表示制御手段を有することを特徴とする携帯通信端末。
【請求項５】
第１の表示部と第２の表示部とを持つ携帯通信端末であって、
前記第１の表示部と前記第２の表示部は一方向から同時に視認可能な配置位置に設けられており、前記第１の表示部の表示はオン又はオフに制御し、前記第２の表示部の表示はオンに制御すると共に、前記第１の表示部の表示をオフからオンにしたときは、前記第１の表示部には前記第２の表示部の表示とは異なる内容の情報を表示する表示制御手段を有することを特徴とする携帯通信端末。
【請求項６】
第１の表示部と第２の表示部とを持つ携帯通信端末であって、
前記第１の表示部と前記第２の表示部は一方向から同時に視認可能な配置位置に設けられており、前記第１の表示部の表示はオン又はオフに制御し、前記第２の表示部の表示はオンに制御すると共に、前記第１の表示部の表示をオフからオンにしたときは、前記第１の表示部が表示オンされる直前に前記第２の表示部に表示されていた情報を前記第１の表示部に移動せず、前記第１の表示部には前記第２の表示部の表示とは異なる内容の情報を表示する表示制御手段を有することを特徴とする携帯通信端末。
【請求項７】
本体電源がオンで、かつ、前記第１の表示部の表示がオンである間は、前記第２の表示部の表示はオフしない構成としたことを特徴とする請求項１乃至６のうちいずれか一項記載の携帯通信端末。
【請求項８】
第１の筐体と第２の筐体とが互いにその前面同士が重ね合わされる第１の状態と、互いにその前面同士が離間されて露出する第２の状態のいずれかで用いられ、前記第１の筐体の前面には第１の表示部が少なくとも設けられ、前記第２の筐体の前面には少なくとも第２の表示部が設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置されており、前記第２の状態時では、前記第１の表示部と前記第２の表示部は一方向から同時に視認可能な配置位置に設けられており、前記第１の表示部と前記第２の表示部に、表示内容を分担し、かつ、互いに異なる表示内容を表示するように構成したことを特徴とする携帯通信端末。
【請求項９】
第１の筐体と第２の筐体とが互いにその前面同士が重ね合わされる第１の状態と、互いにその前面同士が離間されて露出する第２の状態のいずれかで用いられ、前記第１の筐体の前面には第１の表示部が少なくとも設けられ、前記第２の筐体の前面には少なくとも第２の表示部が設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置されており、前記第２の状態時では、前記第１の表示部と前記第２の表示部は一方向から同時に視認可能な配置位置に設けられており、前記第１の表示部には画像やテキストを表示し、前記第２の表示部には前記画像やテキスト以外の記号又はアイコンを表示するように構成したことを特徴とする携帯通信端末。
【請求項１０】
前記第２の表示部は、アンテナバーや電池バー等の記号又はアイコンを表示することを特徴とする請求項８又は９記載の携帯通信端末。
【請求項１１】
第１の筐体と第２の筐体とが互いにその前面同士が重ね合わされる第１の状態と、互いにその前面同士が離間されて露出する第２の状態のいずれかで用いられ、前記第１の筐体の前面には第１の表示部が少なくとも設けられ、前記第２の筐体の前面には少なくとも第２の表示部が設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置されており、前記第２の状態時では、前記第１の表示部と前記第２の表示部は一方向から同時に視認可能な配置位置に設けられており、
前記第１の表示部の表示はオン又はオフに制御し、前記第２の表示部の表示はオンに制御すると共に、前記第１の表示部の表示をオフしたときは、前記第１の表示部が表示オフされる直前に表示していた情報を前記第２の表示部に移動せず、前記第２の表示部には前記第１の表示部の表示とは異なる内容の情報を表示する表示制御手段を有することを特徴とする携帯通信端末。
【請求項１２】
第１の筐体と第２の筐体とが互いにその前面同士が重ね合わされる第１の状態と、互いにその前面同士が離間されて露出する第２の状態のいずれかで用いられ、前記第１の筐体の前面には第１の表示部が少なくとも設けられ、前記第２の筐体の前面には少なくとも第２の表示部が設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置されており、前記第２の状態時では、前記第１の表示部と前記第２の表示部は一方向から同時に視認可能な配置位置に設けられており、
前記第１の表示部の表示はオン又はオフに制御し、前記第２の表示部の表示はオンに制御すると共に、前記第１の表示部の表示をオフからオンにしたときは、前記第１の表示部には前記第２の表示部の表示とは異なる内容の情報を表示する表示制御手段を有することを特徴とする携帯通信端末。
【請求項１３】
第１の筐体と第２の筐体とが互いにその前面同士が重ね合わされる第１の状態と、互いにその前面同士が離間されて露出する第２の状態のいずれかで用いられ、前記第１の筐体の前面には第１の表示部が少なくとも設けられ、前記第２の筐体の前面には少なくとも第２の表示部が設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置されており、前記第２の状態時では、前記第１の表示部と前記第２の表示部は一方向から同時に視認可能な配置位置に設けられており、
前記第１の表示部の表示はオン又はオフに制御し、前記第２の表示部の表示はオンに制御すると共に、前記第１の表示部の表示をオフからオンにしたときは、前記第１の表示部が表示オンされる直前に前記第２の表示部に表示されていた情報を前記第１の表示部に移動せず、前記第１の表示部には前記第２の表示部の表示とは異なる内容の情報を表示する表示制御手段を有することを特徴とする携帯通信端末。
【請求項１４】
本体電源がオンで、かつ、前記第１の表示部の表示がオンである間は、前記第２の表示部の表示はオフしない構成としたことを特徴とする請求項８乃至１３のうちいずれか一項記載の携帯通信端末。
【請求項１５】
前記第１の筐体と前記第２の筐体が前記第１の状態及び前記第２の状態のいずれであるかを検出する状態検出手段を有し、前記状態検出手段の検出結果に応じて前記第１の表示部の表示動作を制御し、かつ、前記状態検出手段の検出結果に関係なく前記第２の表示部の表示動作を制御する動作制御手段を有することを特徴とする請求項８乃至１３のうちいずれか一項記載の携帯通信端末。
【請求項１６】
第１の筐体と第２の筐体とが互いにその前面同士が重ね合わされる第１の状態と、互いにその前面同士が離間されて露出する第２の状態のいずれかで用いられ、前記第１の筐体の前面には少なくとも第１の表示部が設けられ、前記第２の筐体の前面には少なくとも第２の表示部とキー入力部とが設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置され、前記第１の状態時には前記キー入力部が前記第１の筐体により覆われる位置に配置され、前記第２の状態時では、前記第１の表示部と前記第２の表示部は一方向から同時に視認可能な配置位置に設けられており、
前記第２の筐体は、前記第１の状態時に前記第１の筐体と対向して重ね合わされる第１の筐体部分の厚さが、前記第１の筐体により覆われない第２の筐体部分の厚さよりも薄く形成されており、かつ、該第２の筐体部分の厚さが前記第１の筐体の厚さとほぼ同一とされていることを特徴とする携帯通信端末。
【請求項１７】
第１の筐体と第２の筐体とが互いにその前面同士が重ね合わされる第１の状態と、互いにその前面同士が離間されて露出する第２の状態のいずれかで用いられ、前記第１の筐体の前面には少なくとも第１の表示部が設けられ、前記第２の筐体の前面には少なくとも第２の表示部とキー入力部とが設けられた携帯通信端末であって、
前記第２の筐体の長さが前記第１の筐体の長さよりも長く形成されており、前記第１の状態及び前記第２の状態のいずれにおいても前記第２の表示部は、前記第１の筐体により覆われることのない位置に配置され、前記第１の状態時には前記キー入力部が前記第１の筐体により覆われる位置に配置され、前記第２の状態時では、前記第１の表示部と前記第２の表示部は一方向から同時に視認可能な配置位置に設けられており、
前記第２の筐体は、前記第１の状態時に前記第１の筐体により覆われない筐体部分の厚さが、前記第１の筐体の先端部側では前記第１の筐体の厚さとほぼ同一で、かつ、該第２の筐体の先端部ほど薄くなるように構成されており、前記第２の表示部は、前記第２の筐体部の前記第１の状態時に前記第１の筐体により覆われない傾斜面に形成され、２方向から視認な構成とされていることを特徴とする携帯通信端末。
【請求項１８】
前記第２の表示部は、表示すべき印の形で型抜きされたパネルと、該パネルの型抜き部分に出射した光を透過させる発光素子とよりなることを特徴とする請求項１乃至１７のうちいずれか一項記載の携帯通信端末。
【請求項１９】
前記発光素子は、多色発光ダイオードであり、発光色により定量的な情報を表わすことを特徴とする請求項１８記載の携帯通信端末。
【請求項２０】
前記第２の表示部は、設定有無を表わす印の形で型抜きされたパネルと、該パネルの型抜き部分に出射した光を透過させる発光素子とよりなり、前記パネルの印についての定量的情報及び詳細情報を前記第１の表示部で参照させる制御手段を有することを特徴とする請求項１乃至１７のうちいずれか一項記載の携帯通信端末。
【請求項２１】
前記第１の筐体は前面に前記第１の表示部と受話器が設けられ、前記第２の筐体は前面に前記第２の表示部とキー入力部と送話器とが設けられ、前記第１の筐体と前記第２の筐体の各一端部がヒンジ部により回動自在に結合されており、前記第１の状態として前記第１及び第２の筐体の前面同士を対向させる閉状態とされ、前記第２の状態として前記第１及び第２の筐体の前面同士を離間させる開状態とされる折り畳み式携帯電話機を構成していることを特徴とする請求項１乃至２０のうちいずれか一項記載の携帯通信端末。
【請求項２２】
互いに異なる長さの第１の筐体と第２の筐体の各一端部がヒンジ部により回動自在に結合されており、前記第１及び第２の筐体の前面同士を対向させる閉状態と、前記第１及び第２の筐体の前面同士を離間させる開状態のいずれかで用いられる、表示部を複数有する折り畳み式の携帯通信端末であって、
前記第１及び第２の筐体のうち、長さが長い方の一方の筐体の、長さが短い方の他方の筐体により前記閉状態時に覆われない筐体部分に少なくとも一の表示部を配置したことを特徴とする携帯通信端末。
【請求項２３】
前記一の表示部には、電池残量及び電波状況の少なくとも一方を含む端末の基本的な動作に関する情報を表示することを特徴とする請求項２２記載の携帯通信端末。
【発明の詳細な説明】
【技術分野】
【０００１】
本発明は携帯通信端末に係り、特に第１の筐体と第２の筐体とがそれぞれ表示部を有する折り畳み式携帯電話機等の携帯通信端末に関する。
【背景技術】
【０００２】
第１の筐体に表示部、第２の筐体にキー入力部を持ち、これら第１及び第２の筐体の各一端部がヒンジ部によって回動自在に結合されている折り畳み式の携帯電話機、簡易型携帯電話機（ＰＨＳ;Personal Handy phone System）等の携帯通信端末において、折り畳んだ状態でも表示が見えるように、第１の表示部とは別に第２の表示部を持つ折り畳み式携帯通信端末が種々開発されている。このような表示部を２つ持つ折り畳み式携帯通信端末の構成は種々あるが、主に第２の表示部は第１の表示部のある第１の筐体の反対面に実装されている構成をとっている場合が多い。この場合、表示部のある第１の筐体は第１、第２の表示部の厚みによって、薄く構成することができなく、装置本体の厚みを増す要因になっている。
【０００３】
このような問題を解決するために、第２の表示部をヒンジ部に実装する携帯通信端末が従来から知られている（例えば、特許文献１、２参照）。また、第２の表示部を、第２の筐体の裏面（折り畳んだ時に第１の表示部が重なる面とは反対側の面）に実装している、表示部を２つ持つ折り畳み式携帯通信端末も従来から知られている。
【０００４】
一方、第１の筐体と第２の筐体とがヒンジ部を介して回動自在に結合された折り畳み式携帯通信端末において、第１の筐体と第２の筐体を折り畳む合わせ面に延長して露出面を形成し、第１の筐体の合わせ面と露出面にそれぞれＬＣＤ表示部を設けた携帯通信端末も従来から知られている（例えば、特許文献３参照）。
【０００５】
また、受話部が設けられた第１の筐体よりも送話部が設けられた第２の筐体の長さを長く形成して、折り畳まれた状態で第２の筐体が第１の筐体より突出する突出部を設けると共に、この突出部の第１の筐体に対向する面側に表示装置を設けた折り畳み式携帯通信端末も従来から知られている（例えば、特許文献４参照）。
【０００６】
更に、第１の筐体の内側面に第１の表示部を設け、第２の筐体の内側面に小面積の第２の表示部を設け、開状態では第１及び第２の表示部を視認でき、第１及び第２の筐体の各内側面を対向密接させた閉状態においては、第１の筐体の切欠部を通して第２の表示部を視認できる構成の折り畳み式携帯通信端末も従来から知られている（例えば、特許文献５参照）。
【０００７】
【特許文献１】特開２００３−１１０６７２号公報（図１）
【特許文献２】特開２００２−３６９２５２号公報（図１、図２）
【特許文献３】特開２００１−３０８９９６号公報（図１）
【特許文献４】特開２００２−２３２５３３号公報（図１、図２）
【特許文献５】特開２００２−３４４５８６号公報（図１、図２）
【発明の開示】
【発明が解決しようとする課題】
【０００８】
しかしながら、特許文献１、あるいは特許文献２記載の従来の携帯通信端末は、第１の筐体は薄くできるが、第２の表示部をヒンジ部内に実装するため、ヒンジ径が大きく（太く）なり、結果として装置本体の厚みが増加してしまっている。また、特許文献１、あるいは特許文献２記載の従来の携帯通信端末においては、第１及び第２の筐体を開いたときに第１及び第２の表示部を同時に見ることができる反面、閉じているときと開いているときでは第２の表示部に表示される表示内容及び情報を変えているため、ユーザーがわかりづらい問題がある。
【０００９】
また、第１の表示部に電池残量を示す印といった携帯電話機の動作の情報を、表示画面の上方部分や下方部分に表示するため、画像やテキスト文章等を表示画面一杯に表示できず、表示効率が悪い。あるいは、電池残量を示す印の部分を増加させるために、表示器を長く大きくするため、小型化が困難である。
【００１０】
また、表示部を２つ持つ折り畳み式携帯通信端末はユーザーへ示すべき内容や情報を、開閉の状態によって第１の表示部と第２の表示部それぞれに入れ替える制御を行っており、同じ内容を２つの表示部にそれぞれ表示させるため効率が悪い。また、この折り畳み式携帯通信端末は、本体を閉じているときは第２の筐体の裏面、開いたときは本体の表示部面（第１の筐体の第１の表示部面）と、開状態時及び閉状態時の各状態によって本体を裏返す必要があり、利便性に欠ける。
【００１１】
また、特許文献３には、スピーカ（レシーバ）を背面に配置することで表示スペースを最大限利用しようとしている携帯通信端末が開示されているが、レシーバと表示部とを同一面に配置しながら表示スペースを最大限利用しようとする構成については開示されていない。
【００１２】
また、特許文献４記載の従来の携帯通信端末は、第１の表示部と第２の表示部に別々の内容を表示するものではなく、液晶表示装置に時刻、電界強度、電池残量の他、電話番号やメール、画像を表示させる構成であり、また、通話中等には液晶表示装置の表示内容を切り替える構成であり、第２の表示部の表示内容を切り替えない構成は特許文献４には記載されていない。更に、特許文献５にも、第１の表示部と第２の表示部に別々の内容を表示する構成の携帯通信端末は記載されていない。
【００１３】
本発明は以上の点に鑑みなされたもので、第１の表示部を有する第１の筐体と、第２の表示部を有する第２の筐体を備え、第１の表示部と第２の表示部に別々の内容を表示すると共に、第２の表示部の表示内容は切り替えないことで、ユーザーに分かり易い表示を行い得る携帯通信端末を提供することを目的とする。
【００１４】
また、本発明の他の目的は、第１の表示部を具備した第１の筐体を薄くし、キー入力部を具備した第２の筐体と第１の筐体とを、ヒンジ部を中心に回動して折り畳んだ時、装置本体を薄く構成できる携帯通信端末を提供することにある。
【００１５】
更に、本発明の他の目的は、レシーバと表示部とを同一面に配置しながら表示スペースを最大限利用できる携帯通信端末を提供することにある。
【００１６】
更にまた、本発明の他の目的は、第２の表示部には電池アイコン、アンテナなどの印を固定表示することにより、制御方法（回路、プログラム）を簡易化できると共に第２の表示部を構成するデバイスを簡素化し得る携帯通信端末を提供することにある。
【課題を解決するための手段】
【００１７】
上記の目的を達成するため、本発明は、第１の表示部と第２の表示部とを持つ携帯通信端末であって、第１の表示部と第２の表示部は一方向から同時に視認可能な配置位置に設けられており、第１の表示部と第２の表示部に、表示内容を分担し、かつ、互いに異なる表示内容を表示するように構成したことを特徴とする。本発明では、第１の表示部と第２の表示部への情報の表示内容を完全に分担させることで、第１の表示部には画像やテキスト文章等を表示画面いっぱいに表示でき、第１の表示部には電池残量やアンテナバー等の印を表示しなくともよいため、印表示に使うべき表示画面面積を削減できるため、携帯電話機の小型化が可能になる。
【００１８】
また、本発明は、上記の目的を達成するため、第１の表示部と第２の表示部とを持つ携帯通信端末であって、第１の表示部と第２の表示部は一方向から同時に視認可能な配置位置に設けられており、第１の表示部には画像やテキストを表示し、第２の表示部には画像やテキスト以外の記号又はアイコンを表示するように構成したことを特徴とする。ここで、第２の表示部には、アンテナバーや電池バー等の記号又はアイコンを表示してもよい。
【００１９】
また、上記の目的を達成するため、本発明は、第１の表示部と第２の表示部とを持つ携帯通信端末であって、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフしたときは、第１の表示部が表示オフされる直前に表示していた情報を第２の表示部に移動せず、第２の表示部には第１の表示部の表示とは異なる内容の情報を表示する表示制御手段を有することを特徴とする。
【００２０】
この発明では、第１の表示部の表示をオフしたときは、第１の表示部が表示オフされる直前に表示していた情報を第２の表示部に移動しないため、第２の表示部の表示内容が変化しないようにできる。また、第１の表示部のオン／オフ制御だけで、第２の表示部を同時にオン／オフ制御する必要がないため、制御回路やソフトウェアの開発が簡素化され、第１の表示部と第２の表示部の表示切替による動作の設計検証も不要となり、開発、設計面においても大きな効果が得られ、開発費を削減でき、端末の価格も低減できる。
【００２１】
また、上記の目的を達成するため、本発明は、第１の表示部と第２の表示部とを持つ携帯通信端末であって、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフからオンにしたときは、第１の表示部には第２の表示部の表示とは異なる内容の情報を表示する表示制御手段を有することを特徴とする。
【００２２】
この発明では、第１の表示部の表示をオフからオンにしたときは、第１の表示部には第２の表示部の表示とは異なる内容の情報を表示するようにしたため、第１の表示部と第２の表示部の両方で第２の表示部の表示内容を表示しないようにできる。また、第１の表示部のオン／オフ制御だけで、第２の表示部を同時にオン／オフ制御する必要がないため、制御回路やソフトウェアの開発が簡素化され、第１の表示部と第２の表示部の表示切替による動作の設計検証も不要となり、開発、設計面においても大きな効果が得られ、開発費を削減でき、端末の価格も低減できる。
【００２３】
また、上記の目的を達成するため、本発明は、第１の表示部と第２の表示部とを持つ携帯通信端末であって、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフからオンにしたときは、第１の表示部が表示オンされる直前に第２の表示部に表示されていた情報を第１の表示部に移動せず、第１の表示部には第２の表示部の表示とは異なる内容の情報を表示する表示制御手段を有することを特徴とする。
【００２４】
この発明では、第１の表示部の表示をオフからオンにしたときは、第１の表示部が表示オンされる直前に第２の表示部に表示されていた情報を第１の表示部に移動せず、第１の表示部には第２の表示部の表示とは異なる内容の情報を表示するようにしたため、第２の表示部の表示内容が変化しないようにできる。また、第１の表示部のオン／オフ制御だけで、第２の表示部を同時にオン／オフ制御する必要がないため、制御回路やソフトウェアの開発が簡素化され、第１の表示部と第２の表示部の表示切替による動作の設計検証も不要となり、開発、設計面においても大きな効果が得られ、開発費を削減でき、端末の価格も低減できる。
【００２５】
また、上記の目的を達成するため、本発明は本体電源がオンで、かつ、第１の表示部の表示がオンである間は、第２の表示部の表示はオフしない構成としたことを特徴とする。
【００２６】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には第１の表示部が少なくとも設けられ、第２の筐体の前面には少なくとも第２の表示部が設けられた携帯通信端末であって、第２の筐体の長さが第１の筐体の長さよりも長く形成されており、第１の状態及び第２の状態のいずれにおいても第２の表示部は、第１の筐体により覆われることのない位置に配置されており、第２の状態時では、第１の表示部と第２の表示部は一方向から同時に視認可能な配置位置に設けられており、第１の表示部と第２の表示部に、表示内容を分担し、かつ、互いに異なる表示内容を表示するように構成したことを特徴とする。
【００２７】
この発明では、２つの筐体を有し、第１の状態か第２の状態で用いられる折り畳み式その他の携帯通信端末において、第１の表示部の部品面積を削減できる。
【００２８】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には第１の表示部が少なくとも設けられ、第２の筐体の前面には少なくとも第２の表示部が設けられた携帯通信端末であって、第２の筐体の長さが第１の筐体の長さよりも長く形成されており、第１の状態及び第２の状態のいずれにおいても第２の表示部は、第１の筐体により覆われることのない位置に配置されており、第２の状態時では、第１の表示部と第２の表示部は一方向から同時に視認可能な配置位置に設けられており、第１の表示部には画像やテキストを表示し、第２の表示部には画像やテキスト以外の記号又はアイコンを表示するように構成したことを特徴とする。ここで、第２の表示部は、アンテナバーや電池バー等の記号又はアイコンを表示するようにしてもよい。
【００２９】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には第１の表示部が少なくとも設けられ、第２の筐体の前面には少なくとも第２の表示部が設けられた携帯通信端末であって、第２の筐体の長さが第１の筐体の長さよりも長く形成されており、第１の状態及び第２の状態のいずれにおいても第２の表示部は、第１の筐体により覆われることのない位置に配置されており、第２の状態時では、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフしたときは、第１の表示部が表示オフされる直前に表示していた情報を第２の表示部に移動せず、第２の表示部には第１の表示部の表示とは異なる内容の情報を表示する表示制御手段を有することを特徴とする。
【００３０】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には第１の表示部が少なくとも設けられ、第２の筐体の前面には少なくとも第２の表示部が設けられた携帯通信端末であって、第２の筐体の長さが第１の筐体の長さよりも長く形成されており、第１の状態及び第２の状態のいずれにおいても第２の表示部は、第１の筐体により覆われることのない位置に配置されており、第２の状態時では、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフからオンにしたときは、第１の表示部には第２の表示部の表示とは異なる内容の情報を表示する表示制御手段を有することを特徴とする。
【００３１】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には第１の表示部が少なくとも設けられ、第２の筐体の前面には少なくとも第２の表示部が設けられた携帯通信端末であって、第２の筐体の長さが第１の筐体の長さよりも長く形成されており、第１の状態及び第２の状態のいずれにおいても第２の表示部は、第１の筐体により覆われることのない位置に配置されており、第２の状態時では、第１の表示部と第２の表示部は一方向から同時に視認可能な配置位置に設けられており、第１の表示部の表示はオン又はオフに制御し、第２の表示部の表示はオンに制御すると共に、第１の表示部の表示をオフからオンにしたときは、第１の表示部が表示オンされる直前に第２の表示部に表示されていた情報を第１の表示部に移動せず、第１の表示部には第２の表示部の表示とは異なる内容の情報を表示する表示制御手段を有することを特徴とする。
【００３２】
また、上記の目的を達成するため、本発明は、第１の筐体と第２の筐体が第１の状態及び第２の状態のいずれであるかを検出する状態検出手段を有し、状態検出手段の検出結果に応じて第１の表示部の表示動作を制御し、かつ、状態検出手段の検出結果に関係なく第２の表示部の表示動作を制御する動作制御手段を有することを特徴とする。この発明では、制御回路やソフトウェアの開発が簡素化できる。
【００３３】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には少なくとも第１の表示部が設けられ、第２の筐体の前面には少なくとも第２の表示部とキー入力部とが設けられた携帯通信端末であって、第２の筐体の長さが第１の筐体の長さよりも長く形成されており、第１の状態及び第２の状態のいずれにおいても第２の表示部は、第１の筐体により覆われることのない位置に配置され、第１の状態時にはキー入力部が第１の筐体により覆われる位置に配置され、第２の状態時では、第１の表示部と第２の表示部は一方向から同時に視認可能な配置位置に設けられており、第２の筐体は、第１の状態時に第１の筐体と対向して重ね合わされる第１の筐体部分の厚さが、第１の筐体により覆われない第２の筐体部分の厚さよりも薄く形成されており、かつ、第２の筐体部分の厚さが第１の筐体の厚さとほぼ同一とされていることを特徴とする。
【００３４】
この発明では、第２の筐体は、第１の状態時に第１の筐体と対向して重ね合わされる第１の筐体部分の厚さが、第１の筐体により覆われない第２の筐体部分の厚さよりも薄く形成されており、かつ、第２の筐体部分の厚さが第１の筐体の厚さとほぼ同一とされているため、第１の筐体により覆われない第２の筐体部分に、大型部品を配置することができ、本体を閉じた時の最大厚みを増加させず、長手方向にも長さを増加させることなく、端末の薄型化、小型化を実現できる。
【００３５】
また、上記の目的を達成するため、本発明は、第１の筐体と第２の筐体とが互いにその前面同士が重ね合わされる第１の状態と、互いにその前面同士が離間されて露出する第２の状態のいずれかで用いられ、第１の筐体の前面には少なくとも第１の表示部が設けられ、第２の筐体の前面には少なくとも第２の表示部とキー入力部とが設けられた携帯通信端末であって、第２の筐体の長さが第１の筐体の長さよりも長く形成されており、第１の状態及び第２の状態のいずれにおいても第２の表示部は、第１の筐体により覆われることのない位置に配置され、第１の状態時にはキー入力部が第１の筐体により覆われる位置に配置され、第２の状態時では、第１の表示部と第２の表示部は一方向から同時に視認可能な配置位置に設けられており、第２の筐体は、第１の状態時に第１の筐体により覆われない筐体部分の厚さが、第１の筐体の先端部側では第１の筐体の厚さとほぼ同一で、かつ、第２の筐体の先端部ほど薄くなるように構成されており、第２の表示部は、第２の筐体部の第１の状態時に第１の筐体により覆われない傾斜面に形成され、２方向から視認な構成とされていることを特徴とする。
【００３６】
この発明では、第２の筐体は、第１の状態時に第１の筐体により覆われない筐体部分の厚さが、第１の筐体の先端部側では第１の筐体の厚さとほぼ同一で、かつ、第２の筐体の先端部ほど薄くなるように構成され、第２の表示部が、第２の筐体部の第１の状態時に第１の筐体により覆われない傾斜面に形成され、２方向から視認な構成とされているため、第２の表示部の表示内容の視認が容易となり、利便性を向上できると共に、デザイン性が向上する。
【００３７】
また、上記の目的を達成するため、本発明は、第２の表示部が、表示すべき印の形で型抜きされたパネルと、パネルの型抜き部分に出射した光を透過させる発光素子とよりなることを特徴とする。この発明では、ＬＣＤを用いた表示部に比べて安価に構成することができ、ひいては端末全体の価格も安価にすることができる。
【００３８】
また、上記の目的を達成するため、本発明は、上記の発光素子は、多色発光ダイオードであり、発光色により定量的な情報を表わすことを特徴とする。この発明では、表示内容をより分かり易く表示させることができる。
【００３９】
また、上記の目的を達成するため、本発明は、第２の表示部は、設定有無を表わす印の形で型抜きされたパネルと、パネルの型抜き部分に出射した光を透過させる発光素子とよりなり、パネルの印についての定量的情報及び詳細情報を第１の表示部で参照させる制御手段を有することを特徴とする。この発明では、定量的情報及び詳細情報を安価な構成の第２の表示部で表示することができる。
【００４０】
ここで、以上の発明は第１の筐体は前面に第１の表示部と受話器が設けられ、第２の筐体は前面に第２の表示部とキー入力部と送話器とが設けられ、第１の筐体と第２の筐体の各一端部がヒンジ部により回動自在に結合されており、第１の状態として第１及び第２の筐体の前面同士を対向させる閉状態とされ、第２の状態として第１及び第２の筐体の前面同士を離間させる開状態とされる折り畳み式携帯電話機を構成しているようにしてもよい。
【００４１】
また、上記の目的を達成するため、本発明は、互いに異なる長さの第１の筐体と第２の筐体の各一端部がヒンジ部により回動自在に結合されており、第１及び第２の筐体の前面同士を対向させる閉状態と、第１及び第２の筐体の前面同士を離間させる開状態のいずれかで用いられる、表示部を複数有する折り畳み式の携帯通信端末であって、第１及び第２の筐体のうち、長さが長い方の一方の筐体の、長さが短い方の他方の筐体により閉状態時に覆われない筐体部分に少なくとも一の表示部を配置したことを特徴とする。この発明では、開閉を問わず第２の表示部の表示内容を確認できる。
【発明の効果】
【００４２】
本発明によれば、第１の筐体と第２の筐体とが重ね合わされた状態においても、第２の表示部の表示内容を確認でき、また、第１の表示部と第２の表示部にそれぞれ異なる情報を表示することにより、第１の表示部の部品面積を削減できるため、第１の表示部面積の小型化、第１の筐体の小型化、携帯通信端末全体の小型化、薄型化を実現できると共に、第２の表示部の表示内容は切り替えないことで、ユーザーに分かり易い表示ができる。
【発明を実施するための最良の形態】
【００４３】
次に、発明を実施するための最良の形態について、折り畳み式携帯電話機を例にとって図面と共に説明する。
【００４４】
（第１の実施の形態）
図１及び図２は本発明になる携帯通信端末の第１の実施の形態の外観斜視図であり、図１は開状態、図２は閉状態（折り畳み状態）のときの図を示す。図３は本発明になる携帯通信端末の第１の実施の形態の回路構成のブロック図を示す。図４は本発明になる携帯通信端末の本体の内部構成断面図を示す。図１、図２、図３、図４において、それぞれの同一機能の構成部分は同一符号を付してある。
【００４５】
図１、図２、図４において、本発明になる携帯通信端末の第１の実施の携帯である折り畳み式携帯電話機１００は、第１の表示部４を内側面に具備している第１の筐体１０１と、第２の表示部５及びキー入力部６をそれぞれ内側面に具備している第２の筐体１０２と、第１の筐体１０１の一側端部と第２の筐体１０２の一側端部とをそれぞれ回動可能に結合しているヒンジ部２００とから構成される。
【００４６】
なお、本明細書において、閉状態にあるときの第１の筐体１０１と第２の筐体１０２が略密接して対向する面を筐体の内側面（又は前面）、内側面と反対側の面を筐体の外側面（又は背面）というものとする。また、第１の筐体１０１、第２の筐体１０２の長手方向に対し、ヒンジ部２００と接続されている端面をヒンジ部端、ヒンジ部２００と接続されていない端面を先端というものとする。
【００４７】
更に、携帯電話機１００は、第１の筐体１０１の内側面にレシーバ用音孔７ａが形成されており、第２の筐体１０２の内側面にはマイク用音孔８ａが形成されており、第２の筐体１０２の上端部にはアンテナ１が突設されており、更に第１の筐体１０１の内側面と第２の筐体１０２の内側面とには閉状態のときに互いに対向する位置に開閉検出部１０ａ、１０ｂが設けられている。開閉検出部１０ａと１０ｂとにより開閉検出手段１０が構成される。
【００４８】
第１の筐体１０１又は第２の筐体１０２内には、図３のブロック図及び図４の断面図に示すように、レシーバ７、マイク８、周辺デバイス９、プリント板３０１、電子回路部品３０２、電池３０３が実装されており、また、無線回路２、制御部３を内蔵している。図３中の無線回路２、制御部３は図４に示すプリント板３０１や電子回路部品３０２によって構成されている。
【００４９】
第１の筐体１０１と第２の筐体１０２はヒンジ部２００によって回動自在に結合されており、閉じたり、開く時には、第１の筐体１０１と第２の筐体１０２がそれぞれヒンジ部２００を中心に前面及び背面に回動するように構成されている。長手方向（ヒンジ部端から先端方向）において、第２の筐体１０２は第１の筐体１０１よりも長く構成されており、図２に示す如く折り畳み状態のときに、第２の筐体１０２上の破線Ａと第１の筐体１０１の先端が重なるように構成されている。
【００５０】
上記の破線Ａよりもヒンジ部２００側の、第１の筐体１０１で覆われる第２の筐体１０２の前面位置には、図１に示すように、キー入力部６とマイク音孔８ａが配置されている。一方、上記の破線Ａから先端までの第２の筐体１０２の前面位置には、図１、図２及び図４に示すように、第２の表示部５が配置されている。従って、ヒンジ部２００を中心に第１の筐体１０１と第２の筐体１０２とを閉じた場合にも、第２の表示部５が第１の筐体１０１によって覆われることはなく、開状態及び閉状態の何れの状態においても第２の表示部５の表示内容を視認できるように構成されている。
【００５１】
また、第１の表示部４はレシーバ７（及びレシーバ用音孔７ａ）とマイク８（及びマイク用音孔８ａ）の間に配置している。これは、ユーザーが電話として使用する場合に、耳にレシーバ７（及びレシーバ用音孔７ａ）を当てたときに、マイク８（及びマイク用音孔８ａ）が口に近づくことで、ユーザーの声を拾いやすくすることができるからである。ゆえに、マイク８（及びマイク用音孔８ａ）は、図１に示すように開状態のときにはレシーバ７（及びマイク用音孔７ａ）から遠い位置に配置するのがよい。
【００５２】
第１の表示部４は、携帯電話機１００の種々の動作や状態、情報、画像等を表示する表示手段であり、第１の筐体１０１の前面に実装される。図４において、第１の表示部４は、表示器４ａとスクリーン４ｂから構成され、表示器４ａはドットマトリクス方式による液晶表示素子（ＬＣＤ；Liquid Crystal Display）又は有機エレクトロルミネッセンス（ＥＬ；Electroluminescent Display）等で構成される。
【００５３】
本実施の形態においては、暗い所でも視聴可能にするためのバックライトやフロントライトが必要な場合には、表示器４ａに構成されているものとする。近年は、薄膜トランジスタ（ＴＦＴ；Thin Film Transistor）方式による高精細ＬＣＤによって写真を表示することも可能であり、携帯電話機の商品性を損なわない大きさの表示器で構成するのがよい。スクリーン４ｂは表示器４ａを保護するもので、携帯電話機では一般的にプラスチックやアクリル等の透明樹脂で構成される。図４では第１の表示部４として、表示器４ａとスクリーン４ｂを分けて示したが、表示器４ａをそのまま第１の表示部４として構成してもよい。
【００５４】
第１の表示部４は携帯電話機１００を図１に示した開状態として、ユーザーからのキー入力部６や補助スイッチ６ａによる操作が行われる場合に、操作に応じた種々の情報を表示する。例えば、メール受信時にはメール内容を表示させ、ｉモード等によるインターネットブラウジング時にはテキスト画面やイラストや写真といった画像等を表示させる。携帯電話機１００がカメラ機能付きの携帯電話機である場合は、撮影時の被写体画像の表示や、撮影後の画像の閲覧、画像の加工等も第１の表示部４を見ながら携帯電話機１００を操作する。
【００５５】
第２の表示部５は、携帯電話機１００の種々の動作や状態、情報を表示する表示手段であり第２の筐体１０２の前面かつ先端に実装される。第２の表示部５の表示内容には、図５に示すような、電池残量を示す印、充電有無を示す印、圏内圏外を示す印、アンテナバー（基地局との通信可否または通信可能なレベル）を示す印、マナーモード設定有無を示す印、ドライブモード設定有無を示す印、バイブモータ設定を示す印、音出力設定有無を示す印、メール受信を示す印、メール送信を示す印、未読メール有無を示す印、電話着信を示す印、電話発呼中を示す印、通話中を示す印、不在着信を示す印、留守番電話設定を示す印、伝言メッセージ有無を示す印、ｉモード等のインターネットブラウジング中に基地局との通信を示す印、スケジュール設定有無を示す印、時計アラームを示す印、外部メモリカード装着有無を示す印、外部メモリカードへのアクセス有無を示す印、ｊａｖａ等によるアプリケーション起動有無を示す印、外部インターフェース接続有無を示す印、カメラ起動有無を示す印、赤外線インターフェース起動有無を示す印、内蔵メモリアクセスを示す印、ハードディスクアクセスを示す印、文字入力モードの状態を示す印、音楽プレーヤー起動有無を示す印等、携帯電話機の機能に応じてその機能の動作状態を示す印を表示させる。
【００５６】
これらは携帯電話機１００に搭載された機能や周辺デバイスに応じて表示させるべき印の数や種類を選択すればよく、少なくとも１つ以上の印を携帯電話機１００の開閉に影響されることなく、常時表示するように構成する。上記の印は画像、マーク、アイコン、インジケータ等ユーザーに情報を示す手段であれば形状や名称を制限しない。
【００５７】
図４において、第２の表示部５は表示器５ａとスクリーン５ｂから構成され、表示器５ａは表示器４ａと同様に、ＬＣＤや有機ＥＬ等で構成できるが、上記のような表示内容を、電池残量を示す印やアンテナバーを示す印といった固定された印を表示する場合には、セグメント方式によるＬＣＤで構成する方が低コスト、低消費電力で第２の表示部５を構成することができる。本実施の形態においては、暗い所でも視認可能にするためのバックライトやフロントライトが必要な場合には、表示器５ａに構成されているものとする。
【００５８】
スクリーン５ｂは表示器５ａを保護するもので、携帯電話機１００では一般的にプラスチックやアクリル等の透明樹脂で構成される。図４では第２の表示器５ａとスクリーン５ｂを分けて示したが、表示器５ａをそのまま第２の表示部５として構成してもよい。
【００５９】
図１において、キー入力部６は携帯電話機１００の種々の操作を行う操作部であり、第２の筐体１０２の前面に実装される。キー入力部６は携帯電話機１００としての発着呼操作、電源の操作、メールやテキスト文章作成の文字入力操作、表示の変更操作等、携帯電話機の操作を行う為のもので、一般的なスイッチ、ボタン、キーボードによって、英数字、かな、記号の入力や表示内容の上下左右移動操作を行えるように構成する。
【００６０】
補助スイッチ６ａは携帯電話機１００の閉状態のときでも携帯電話機１００の操作を可能にするためのもので、閉状態での操作を行えるようにするため、第２の筐体１０２の側面に配置されている。補助スイッチ６ａの配置位置は、第１の筐体１０１の側面又は背面又は第２の筐体１０２の背面に実装してもよい。補助スイッチ６ａは第１の筐体１０１、第２の筐体１０２の寸法に影響を与えない範囲で、任意の場所に実装可能であり、携帯電話機１００の機能に応じて不要であれば補助スイッチ６ａを実装しなくともよい。補助スイッチ６ａは閉状態での操作のみならず、開状態のときにはキー入力部６の補助キーとしても使用してもよいし、キー入力部６と同一の機能キーとして構成してもよい。
【００６１】
レシーバ用音孔７ａは図３に示すレシーバ７の音を出力するための穴であり、第１の筐体１０１の前面の先端部に実装され、第１の表示部４の上方に配置される。本実施の形態では図４に示す如く、レシーバ７はレシーバ用音孔７ａの下（厚み方向で第１の筐体１０１の前面と背面の間）に配置している。
【００６２】
レシーバ７は携帯電話機の電話通信において、通話相手の受話音声信号を電気−音響変換して受話音声を発音する受話器である。レシーバ７は第１の筐体１０１の前面の先端部に実装され、第１の表示部４の上方に配置される。近年の携帯電話機においては携帯電話機への電話着信やメール受信、その他の音声出力用に図３、図４に示す周辺デバイス９としてスピーカを具備しているものが多いが、このスピーカをレシーバ７と共通にして、第１の筐体１０１の前面の先端部に実装しても良い。
【００６３】
マイク用音孔８ａは図３に示すマイク８への音を入力するための穴であり、第２の筐体１０２の前面に実装され、キー入力部６と第２の表示部５の間に配置している。図４に示す如く、マイク８はマイク用音孔８ａの下（厚み方向で第２の筐体１０２の前面と背面の間）に配置している。マイク８は携帯電話機の電話通信において、携帯電話機１００のユーザーの送話音声を音響−電気変換して電気信号である送話音声信号を生成し、通話相手へ出力するための送話器である。
【００６４】
ここで、携帯電話機１００において第１の表示部４と、レシーバ７（及びレシーバ用音孔７ａ）と、マイク８（及びマイク用音孔８ａ）の位置関係は、レシーバ７（及びレシーバ用音孔７ａ）とマイク８（及びマイク用音孔８ａ）の間に第１の表示部４を配置するように構成している。マイク８（及びマイク用音孔８ａ）は、開状態のときに前述したように、レシーバ７（及びレシーバ用音孔７ａ）から遠い位置に配置するのがよい。
【００６５】
なお、本実施の形態では図１、図２、図４に示す如く、マイク用音孔８ａはマイク８と共に第２の筐体１０２の前面のキー入力部６と第２の表示部５の間に配置しているが、レシーバ７（レシーバ用音孔７ａ）とマイク８（マイク用音孔８ａ）の間に第１の表示部４が配置される構成であれば、携帯電話機１００の本体或いは第１の筐体１０１、第２の筐体１０２の寸法に影響を与えない範囲で、任意の場所に実装可能である。例えば、第２の筐体１０２の先端部分側に実装したり、第２の筐体１０２の前面のヒンジ部端側に実装したり、或いは第１の筐体１０１の前面のヒンジ部端側に実装してもよく、電話機としてはレシーバ７とマイク８の距離が開状態のときに離して実装している構成がよい。
【００６６】
図３、図４の周辺デバイス９は、スピーカ、バイブモータ、発光ダイオード（ＬＥＤ；Light Emitting Diode）、ライト、赤外線通信モジュール、カメラ等といった付加機能として携帯電話機１００に実装されるものであり、本実施の形態ではアンテナ１、無線回路２、制御部３、第１の表示部４、第２の表示部５、キー入力部６、補助スイッチ６ａ、レシーバ７、レシーバ用音孔７ａ、マイク８、マイク用音孔８ａ、開閉検出手段１０以外のものを周辺デバイス９として定義する。図４には周辺デバイス９の一例としてスピーカを実装した構成を示す。周辺デバイス９は、携帯電話機１００の本体或いは第１の筐体１０１、第２の筐体１０２の寸法に影響を与えない範囲で任意の場所に実装可能である。
【００６７】
開閉検出部１０ａ及び１０ｂは図３の開閉検出手段１０を構成しており、携帯電話機１００が開状態、閉状態のいずれであるかを検出するものであり、フォトダイオード、フォトトランジスタによるフォトセンサによるもの、あるいは磁力による電磁スイッチ、その他の電気的あるいは機械的なスイッチで構成でき、開閉状態を検出できれば構成を問わない。
【００６８】
また、この開閉検出部１０ａ及び１０ｂは、携帯電話機１００の本体或いは第１の筐体１０１、第２の筐体１０２の寸法に影響を与えない範囲で任意の場所に実装可能である。図１、図２においては第１の筐体１０１、第２の筐体１０２のそれぞれヒンジ端面側に実装している。図３において、開閉検出手段１０は制御部３によって制御（監視）され、制御部３は開閉検出手段１０の結果に応じて第１の表示部４の表示制御を行う。第２の表示部５は開閉検出手段１０の結果に左右されず制御部３によってのみ表示制御される。
【００６９】
図１〜図４に示したアンテナ１は、携帯電話機１００の通信において電波の送受信を行う。このアンテナ１も携帯電話機１００の本体或いは第１の筐体１０１、第２の筐体１０２の寸法に影響を与えない範囲で、内蔵を含め任意の場所に実装可能である。本実施の形態の携帯電話機１００においては、アンテナ１は図１、図２に示す如く第２の筐体１０２のヒンジ端面側に実装されている。
【００７０】
図３の無線回路２は、最寄りの基地局との間で携帯電話機１００の電話通信やパケットデータ通信等を行うものであり、国や地域、事業者によって種々の無線通信方式に合わせた無線回路構成とされている。この無線回路２は携帯電話機１００の本体或いは第１の筐体１０１、第２の筐体１０２の寸法に影響を与えない範囲で任意の場所に実装可能である。第１の筐体１０１を薄く構成するためには、第２の筐体１０２の内部に実装するのがよく、本実施の形態では図４に示す如く、プリント板３０１、電子回路部品３０２によって構成されている。
【００７１】
また、図３において、制御部３は無線回路２、第１の表示部４、第２の表示部５、キー入力部６、補助スイッチ６ａ、レシーバ７、マイク８、周辺デバイス９、開閉検出手段１０に接続されており、携帯電話機１００の動作全般の制御を統括的に行う回路部である。制御部３は図示しない中央処理装置（ＣＰＵ；Central Processing Unit）、リード・オンリ・メモリ（ＲＯＭ；Read Only Memory）、ランダム・アクセス・メモリ（ＲＡＭ；Random Access Memory）、電話通信やパケットデータ通信用のコーデック回路、音声信号のアナログ通信とデジタル信号の変換回路等を含んでいる。
【００７２】
また、制御部３は第１の表示部４、第２の表示部５、周辺デバイス９用の駆動回路も含んでおり、ユーザーによるキー入力部６の操作や電話着信、メール受信、時計アラーム報知といった携帯電話機１００の動作時には、必要に応じて駆動回路を制御し、第１の表示部４、第２の表示部５、周辺デバイス９からの出力を行う。制御部３は携帯電話機１００の本体或いは第１の筐体１０１、第２の筐体１０２の寸法に影響を与えない範囲で任意の場所に実装可能である。筐体を薄く構成するためには、第２の筐体１０２の内部に実装するのがよく、本実施の形態では図４に示す如く、プリント板３０１、電子回路部品３０２によって構成されている。
【００７３】
なお、本実施の形態においては、これらのＣＰＵ、ＲＯＭ、ＲＡＭ、コーデック回路、アナログ通信とデジタル信号の変換回路、駆動回路をまとめて制御部３として示したが、それぞれ個別の回路、ブロックに分けて構成してもよい。また、制御部３は、第１の表示部４に情報を出力する際には、図示しない第１の表示部４用の駆動回路を制御し、第１の表示部４に情報を表示する。第２の表示部５に情報を出力する際には、図示しない第２の表示部５用の駆動回路を制御し、第２の表示部５に情報を表示する。ユーザーによるキー入力部６の操作を制御し、入力に応じて携帯電話機の種々の動作を制御する。電話通信時には無線回路２、レシーバ７、マイク８をそれぞれ制御し電話通信動作を行う。
【００７４】
また、制御部３は、電話通信時にはマイク８から入力された送話音声信号をアナログ／デジタル変換し、種々の無線通信方式に合わせデータを変換し、無線回路２を通してアンテナ１によって無線送信させる。アンテナ１及び無線回路２によって受信した信号は制御部３によってデータ変換され、デジタル／アナログ変換して得られた受話音声信号を、レシーバ７により電気−音響変換して受話音声として発音される。
【００７５】
また、制御部３は開閉検出手段１０を制御し、開閉検出手段１０の結果と共に第１の表示部４の表示制御を行うが、第２の表示部５は開閉検出手段１０の結果に左右されずに制御部３によって第２の表示部５のオン／オフ（ＯＮ／ＯＦＦ）や表示内容の制御が行われる。
【００７６】
図４の電池３０３は携帯電話機１００の電源供給源であり、図３の各回路やブロックへの電源供給を行う。携帯電話機１００としてはリチウムイオン電池が一般的であるが、ニッカド電池や燃料電池、乾電池等電源を供給するものなら何でもよい。電池３０３は携帯電話機１００の本体或いは第１の筐体１０１、第２の筐体１０２の寸法に影響を与えない範囲で任意の場所に実装可能である。第１の筐体１０１を薄く構成するためには、第２の筐体１０２に配置するのがよく、本実施の形態では電池３０３は図４に示す如く、第２の筐体１０２の背面側に配置されている。
【００７７】
図５は本発明による携帯電話機の第２の表示部５の表示内容の一例を示す。第２の表示部５には開閉時に関わらず、一般的に携帯電話機の基本動作において、ユーザーへ情報提供したい表示内容を表示させる。図５において、表示の一例として図示した印は上段左側から、電池３０３残量を示す印、発呼及び通話中を示す印、時計アラーム設定有無を示す印、電話着信及び不在着信を示す印、伝言メッセージ有無を示す印、バイブモータ起動設定有無を示す印、メール送受信及び未読メール有無を示す印、スケジュール設定有無を示す印、マナーモード設定有無を示す印、アンテナバー（基地局との通信可否または通信可能なレベル）を示す印、を示し、下段左側から日付情報、曜日情報、時計時刻を表示している。上記は表示内容の一例であり、必要に応じて携帯電話機に搭載された機能や周辺デバイス９に応じて表示させるべき印を選択し、機能に応じてその機能の動作状態を示す印を表示させるように構成できる。
【００７８】
上記構成において、第２の表示部５は開閉検出手段１０の結果に左右されず開閉時共に表示を行うように構成したが、消費電流削減のため制御部３にタイマ機能を設け、ユーザーからのキー入力部６及び補助スイッチ６ａによる操作が一定期間行われない場合には、表示をオフし、再度ユーザーからのキー入力部６又は補助スイッチ６ａによる操作が行われた場合に表示をオンするように制御してもよい。このような技術は既知の技術で構成可能であるため詳細説明は省略する。
【００７９】
図６は本発明による携帯電話機の第１の表示部４の表示内容を示す図であり、一例として画像を示す。本実施の形態の携帯電話機１００において、第１の表示部４への表示内容は、テキスト文章、メール文章、イラスト画像、写真画像等を主に表示するように構成する。つまり、第２の表示部５に表示する携帯電話機の種々の動作や状態を示す印と同じ印は第１の表示部４に表示させないように構成する。第２の表示部５に日付や時刻情報を表示させる場合には第１の表示部４には、日付や時刻情報を表示させないようにすることで、第１の表示部４と第２の表示部５の表示内容を明確に分けることができ、第１の表示部４の表示エリア（画面サイズ）を大きく有効に活用できる。
【００８０】
つまり、本実施の形態の携帯電話機１００において、２つの表示器に表示させる内容及び情報は、図５及び図６に示すように、それぞれ第１の表示部４と第２の表示部５への表示する内容及び情報を分担させて構成する。ここで、従来の表示部を２つ持つ折り畳み式携帯電話機の第１の筐体の厚み寸法構成図を図１４に示す。
【００８１】
この表示部を２つ持つ従来の折り畳み式携帯電話機では図１４に示す如く、表示器４１ａ及びスクリーン４１ｂからなる第１の表示部４１の反対面に、表示器５１ａ及びスクリーン５１ｂからなる第２の表示部５１を実装しており、第１の筐体４０１の厚みＤ１は、第２の表示部５１の厚みＤ２、第１の表示部４１と第２の表示部５１の間のスペースの厚みＤ３、第１の表示部４１の厚みＤ４から決定される。
【００８２】
つまり、第１の表示部４１と第２の表示部５１を第１の筐体４０１に実装している従来の携帯電話機の構成では、第２の表示部５１の厚みＤ２分だけ厚くなってしまっていた。ここで、上記のスペースは部品同士の干渉を避けるためのエアギャップや部品を固定するための樹脂モール等によるフレームやスペーサ等で構成されるものである。これに対し、本実施の形態では図４に示す如く、第２の表示部５を第２の筐体１０２に実装することで、第１の筐体１０１の厚みを上記の従来の携帯電話機に比べて薄くすることが可能である。
【００８３】
また、図１５に示すように、従来の折り畳み式携帯電話機の第１の筐体４０１の長さＬ１は、第１の筐体先端とレシーバ７の間のスペースの長さＬ３、レシーバ７と第１の表示部４１の表示領域の間のスペースの長さＬ４、第１の表示部４１の表示領域の長さＬ５、第１の表示部４の表示領域とヒンジ部５００のヒンジ部端との間のスペースの長さＬ６から決定される。ここで、長さＬ３のスペースは部品同士の干渉を避けるためのエアギャップや部品を固定するための樹脂モール等によるフレームやスペーサ等で構成されるものである。
【００８４】
また、従来の携帯電話機の第１の表示部４１の表示領域（表示内容の画面構成）の一例を図１６に示す。従来の携帯電話機では、第１の表示部４１の表示画面の構成として、電池残量やアンテナバーを示す印、日付、時計情報等をまとめて表示する画面領域Ｌ５１と、ユーザーの種々の操作に従い画像やテキスト文章等を示す画面領域Ｌ５２に２分されているものが多い。また、図示しないが画面領域Ｌ５１をさらに２分して、画面上方に電池残量やアンテナバーを示す印を表示し、画面下方に日付、時計情報を表示して、画面中央に画面領域Ｌ５２を設ける構成としているものである。
【００８５】
画面領域Ｌ５１には電池残量やアンテナバーを示す印、日付、時計情報等が表示されており、ユーザーによる各種の設定有無、例えばマナーモード設定有りとした場合にはマナーモード設定有を示す印を表示し、第１の表示部４１がオンしている状態では、常にこの印を表示している。
【００８６】
図１６の画面領域Ｌ５２は画像やテキスト文章等を示す画面領域であり、ユーザーの種々の操作に従い表示する内容を種々変更する。例えば、メール文章を作成する場合には、画面領域Ｌ５２にメール作成の編集画面を表示したり、写真やイラスト等の画像を表示する場合には、この領域内で種々の画像を表示する。このように、従来の携帯電話機では、画面領域Ｌ５１には携帯電話機の動作情報、設定情報等を常に表示し、画面領域Ｌ５２はユーザーによる操作と共にその都度表示内容を変更するように、第１の表示部４１の画面領域を２分させていた。
【００８７】
また、従来の携帯電話機では、携帯電話機を閉じたときに第１の表示部４１をオフすると共に、画面領域Ｌ５１に表示させていた情報を第２の表示部５１に表示させていた。このように、図１５に示す第１の表示部４１の長さＬ５は、図１６に示す画面領域Ｌ５１と画面領域Ｌ５２によって構成されるため、表示する内容を分担しそれぞれに表示する画面領域を設けているために、図１６に示す画面領域Ｌ５１の長さの分だけ画面領域を大きくしなければならず、その結果、図１５に示す第２の筐体の長さＬ１が長くなってしまっていた。また、携帯電話機の開時、閉時によって画面領域Ｌ５１に表示させる情報を、第１の表示部４や第２の表示部５に表示させており、同じ内容を２つの表示部それぞれに表示させていたため表示効率が悪かった。
【００８８】
本実施の形態は、このような従来の表示部を２つ持つ折り畳み型携帯電話機において、図１４に示すような構成に対し薄型化を可能にすると共に、図１５に示すような構成に対し小型化を可能にするためのものである。
【００８９】
次に、本発明による折り畳み式携帯通信端末としての、携帯電話機の動作を図面を参照して説明する。説明に際し、従来の携帯電話機の第１の表示部４１の表示内容の一例として図１６を参照しながら説明する。図１、図２及び図４において前面に第１の表示部４と前面の先端部にレシーバ用音孔７ａ（及びレシーバ７）とが配置された第１の筐体１０１と、前面の先端側に第２の表示部５を実装すると共に、前面のヒンジ部端にキー入力部６を実装し、更に第１の表示部４を挟んだレシーバ７の反対方向にはマイク用音孔８ａ（及びマイク８）が配置されている第２の筐体１０２とがヒンジ部２００によって回動自在に結合された折り畳み式携帯電話機１００において、閉状態のときには、第２の表示部５には図５に示すような情報を表示している。
【００９０】
従来の携帯電話機では開状態としたときに、図５に示した第２の表示部５に表示していた印を、図１６のように第１の表示部４１の画面の上方または下方に表示させていたため、第１の表示部４１の画面サイズを図５に示すような第２の表示部５に表示していた印の分だけ大きくする必要があり、携帯電話機本体のサイズが大きくなる要因となっていた。あるいは、図５に示すような第２の表示部５に表示していた印と画像等の両方の情報を、図１６に示すように第１の表示部４に表示していたため、画像等を小さく表示せざるを得なかった。
【００９１】
また、従来は第１の表示部４１の表示と同時に開閉検出手段により開状態の検出結果に基づいて、第２の表示部の表示をオフしたり、表示内容を変更していたため、第１の表示部４１と第２の表示部の表示制御を両方、同時に行う必要があり、制御プログラムの開発が複雑になっていた。ユーザーにとっては図５に示すような情報が、開閉によって第１の表示部４１に表示されたり、第２の表示部に表示されたりと情報の表示場所が異なるためわかりづらかった。
【００９２】
これに対し、本実施の形態では、開状態とするときには、ヒンジ部２００を中心に第１の筐体１０１と第２の筐体１０２をそれぞれ背面方向に回動することによって、第１の表示部４及びキー入力部６が露出されるので、ユーザーは、第１の表示部４と第２の表示部５の両方の表示を同時に確認することができるが、図３に示した制御部３が開閉検出手段１０の開状態の検出結果を参照し、ユーザーへ情報を提示するために、第１の表示部４をオンし、予めユーザーが設定しておいた画像や、ユーザーにおいて気がつかなかった電話着信、メール受信、スケジュール報知等の情報を表示させ、第２の表示部５には、開閉検出手段１０の結果には左右されず、開状態とされる前の閉状態のときの図５に示す表示内容をそのまま継続表示する。
【００９３】
従って、本実施の形態では第１の表示部４には第２の表示部５で表示していた内容を表示する必要が無いため、第２の表示部５の表示内容を表示するための領域は不要であり、従来の第１の表示部４１の同じ表示面積で従来よりも多くの情報を表示でき、あるいは同じ表示内容の場合は大きく表示できる。
【００９４】
また、従来は、開閉検出手段により検出された開状態の検出結果に基づいて、第２の表示部の表示をオフしたり、表示内容を変更していたため、第１の表示部４１と第２の表示部の表示制御を両方、同時に行う必要があり、制御プログラムの開発が複雑になっていたが、本実施の形態では、第２の表示部５の表示内容は一定であり、ユーザーにとっては図５に示すような情報が、開閉によって第１の表示部４に表示されたり、第２の表示部５に表示されたりと情報の表示場所が異なることはなく、常に第２の表示部５には一定の表示内容を表示することができる。
【００９５】
また、第２の表示部５の表示内容は、図５に示したように、電池残量を示す印やアンテナバーを示す印といった固定された印を表示するため、セグメント方式によるＬＣＤで構成できる。この場合は、各セグメントの点灯、消灯の制御を行うのみでよく、制御回路３やソフトウェアを簡単に構成できる。また、セグメントの点灯、消灯に加え、点滅によって情報の内容を変化させれば、簡単な構成のまま複数の意味を持つ情報を表示させることも可能である。
【００９６】
また、ドットマトリクス方式のＬＣＤでは、表示内容を更新する際に、表示用メモリのデータアクセスを行うが、データアクセスの際にノイズが発生し、無線特性に影響を与え、受信特性がしばしば劣化していた。第２の表示部５をセグメント方式のＬＣＤで構成する場合には、このような表示ノイズによる無線特性への悪影響が殆どないため、良好な無線特性を持つ携帯電話機の設計が可能となる。
【００９７】
なお、開状態としたときに第１の表示部４に表示する内容は、携帯電話機１００の機能やユーザーによる設定によって種々変化させることができ、図６に示すような画像等を表示させることができる。また、このとき、ユーザーは必要に応じて第１の表示部４、第２の表示部５の表示内容を見ながら、キー入力部６を操作し、携帯電話機１００を操作する。このとき制御部３はユーザーからのキー入力部６の操作に応じて、第１の表示部４の表示内容を変更し、電話やメール、ｉモードといったインターネットアクセスを行う等、キー入力部６を通じてユーザーの操作内容に従い携帯電話機を制御する。
【００９８】
以上のように、本発明による携帯電話機は開状態としたときでも、第２の表示部５の表示は開閉検出手段１０の検出結果に左右されず、閉じていたときと同じ情報を同じ位置から確認できるため、ユーザーにとってわかり易い。また、開状態としたときでも図５に示すような印を第１の表示部４に表示することなく制御しているので、第１の表示部４の画面サイズ全部を使ってテキスト文章や、画像を見ることができる。
【００９９】
次に、閉状態としたときの動作について説明する。携帯電話機１００を携帯して持ち歩く場合には、携帯電話機１００は、ヒンジ部２００を中心に第１の筐体１０１、第２の筐体１０２をそれぞれ前面方向に回動することによって、第１の表示部４及びキー入力部６が内側に対面するように閉じられる。この閉状態のときには、第１の筐体１０１は第２の筐体１０２の上に重なるが、図１、図２及び図４に示す第２の筐体１０２上の破線Ａと第１の筐体１０１の先端部が重なり、閉状態でも第２の表示部５が露出している。つまり、閉状態においても第２の表示部５の表示内容を確認することができる。
【０１００】
第１及び第２の筐体１０１及び１０２を閉じたとき、開閉検出手段１０は閉状態を検出する。制御部３は開閉検出手段１０の閉状態検出結果が入力されると、第１の表示部４の表示をオフする。また、このとき、第２の表示部５については、開閉検出手段１０の閉状態検出結果には左右されず、制御部３の制御によってのみ種々の情報を表示しており、閉状態前に表示していた内容をそのまま表示している。
【０１０１】
このように、本実施の形態の携帯電話機１００は閉状態でも、第２の表示部５の表示は開閉検出手段１０に左右されず、開状態と同じ位置から確認できるため、ユーザーにとってわかりやすい。つまり、本体１００の開閉によらず、常に同じ位置から図５に示すような情報を入手することができる。
【０１０２】
また、ユーザーは携帯電話機１００を携帯する場合には、折り畳んで携帯している場合が多く、特に上着のポケットや、シャツの胸ポケット、あるいはホルダと共に腰に装着している場合が多い。このような場合、従来の携帯電話機では本体をポケットあるいはホルダから取り出し、第２の表示部の表示を確認していたが、本実施の形態の携帯電話機１００ではポケットあるいはホルダから本体の先端部を出すだけで第２の表示部５の表示の確認が可能である。
【０１０３】
なお、本実施の形態の説明上、従来機種との比較のために第１の表示部４の表示オン／オフ用として開閉検出手段１０を実装している場合について説明したが、例えば第１の表示部４の消費電流を問題としない場合や、キー入力部６への入力にタイマを設け、ユーザーからのキー入力部６及び補助スイッチ６ａによる操作がタイマ設定の一定期間行われない場合には、表示をオフし、再度ユーザーからのキー入力部６又は補助スイッチ６ａによる操作が行われた場合に表示をオンするように制御する構成とすれば、開閉検出手段１０を設けない構成にすることもできる。
【０１０４】
このように、本実施の形態によれば、第２の表示部５を第１の表示部４のある第１の筐体１０１ではなく第２の筐体１０２に実装しているため、第１の筐体１０１を厚み方向において薄くすることが可能となる。さらに、第２の表示部５を第２の筐体１０２の先端部に実装し、閉じた状態でも第２の表示部５が見えるように構成しているため、ヒンジ部２００の開閉状態によらず第２の表示部５を視認することが可能である。
【０１０５】
つまり、従来のような開閉時にいずれか一方の表示器のみが参照可能であり、開閉によって第１の表示部、第２の表示部へのそれぞれの表示のオン／オフ制御や出力を同時に行う従来の携帯電話機に対し、本実施の形態の携帯電話機１００では開閉時ともに第２の表示部５が視認可能なので、開閉によって第１の表示部４、第２の表示部５それぞれの表示のオン／オフ制御を同時に行う必要がなく、第１の表示部４の表示のオン／オフ制御を行うだけで、第２の表示部５の表示のオン／オフ制御を行う必要がない。
【０１０６】
また、従来の第１の表示部、第２の表示部を持つ携帯電話機のように、閉状態時と開状態時とで第２の表示部の表示内容を変更せず、第２の表示部５には開閉時ともに同じ情報を表示させているので、ユーザーは混乱せずに携帯電話機の動作の基本となる情報（電池残量やアンテナバー、時計情報等）を常に第２の表示部５から得られる。つまり、電池残量を見たいときは第２の表示部５を見るというように、感覚的に情報収集が行えるため、ユーザーへの情報伝達が確実に行える効果がある。
【０１０７】
また、第１の表示部４、第２の表示部５は閉じた時に向かい合う面に実装されているため、ヒンジ部２００を開いた時には第１の表示部４、第２の表示部５の両方の確認が行え、ユーザーに対して多数の情報を提供することが可能である。
【０１０８】
また、本体１００の開閉によらず、第２の表示部５には常に携帯電話機１００の動作の基本となる印を表示させ、第１の表示部４には第２の表示部５で表示している同じ内容を表示しないように構成して、第１の表示部４と第２の表示部５の表示内容を完全に分担させているため、第１の表示部４の画面全て使って、画像の表示、メール内容の表示、アプリケーションの表示、情報の表示を行うことができる。
【０１０９】
あるいは、第１の表示部４と第２の表示部５の表示内容を完全に分担させているため、開閉にあわせて、第１の表示部と第２の表示部に電池残量、時計等の情報を切り替える従来の携帯電話機に比べ、第１の表示部４の表示ドット数を削減でき、電池残量、時計等の情報に利用している表示エリア分だけ長さを短くすることができる。つまり、図１６に示す画面領域Ｌ５１の長さが不要になるため、図１５の示すＬ５の長さを短くすることができ、第１の筐体１０１の長さを短くすることができる。すなわち、第１の筐体１０１が短くなることで第２の筐体１０２の長さも短くすることができ、携帯電話機１００の全長を短くできるので、従来機種に比べ携帯電話機の薄型化、小型化することが可能である。
【０１１０】
また、従来の２つの表示部を持つ携帯電話機のような閉状態時と開状態時とで一方の表示部の表示内容を変更する携帯電話機では、開閉検出手段１０によって、２つの表示部の両方の表示制御を行わねばならず、制御回路やソフトウェアの開発が複雑になり、２つの表示部の表示切替による動作の設計検証にも多大な工数がかかるという開発、設計面において問題があったが、本実施の形態の携帯電話機１００では、携帯電話機１００の動作状態において常時表示する印は第２の表示部５に表示する、ユーザー操作に応じて表示内容を変更するものは第１の表示部４に表示する、と表示内容を分担させていると共に、更に開閉動作によって第２の表示部５の表示内容を変更しない構成としているため、開閉検出手段１０の結果によって第２の表示部５の表示制御を行う必要がなく、制御回路やソフトウェアの開発が簡素化され、第１の表示部４と第２の表示部５の表示切替による動作の設計検証も不要となり、開発、設計面においても大きな効果が得られる。開発費を削減できるため、装置本体１００の価格を低減でき、ユーザーに対しても安価な値段で提供できるといる相乗効果がある。
【０１１１】
さらに、実使用シーンにおいて、ユーザーは本体１００を携帯する場合には、折り畳んで携帯している場合が多く、特に上着のポケットや、シャツの胸ポケット、あるいはホルダと共に腰に装着している場合が多い。このような場合、従来の携帯電話機では本体１００をポケットあるいはホルダから取り出し、第２の表示部５を確認していたが、本発明による携帯電話機ではポケットあるいはホルダから本体１００の先端部を出すだけで表示部の確認が可能であり、利便性が向上する。
【０１１２】
また、第２の表示部５の表示内容は、図５に示したように、電池残量を示す印やアンテナバーを示す印といった固定された印を表示するため、セグメント方式によるＬＣＤで構成でき、その結果、低コスト、低消費電力で第２の表示部５を構成することができる。更に、セグメント方式によるＬＣＤで構成する場合は、各セグメントの点灯、消灯の制御を行うのみでよく、制御回路３やソフトウェアを簡単に構成できる。その上、セグメントの点灯、消灯に加え、点滅によって情報の内容を変化させれば、簡単な構成のまま複数の意味を持つ情報を表示させることも可能である。
【０１１３】
また、ドットマトリクス方式のＬＣＤでは表示内容を変化こうする際に、表示用メモリのデータアクセスを行うが、データアクセスの際にノイズが発生し、無線特性に影響を与え、受信特性がしばしば劣化していたが、本実施の形態の携帯電話機１００では、第２の表示部５をセグメント方式のＬＣＤで構成できるため、ノイズによる無線特性劣化を考慮しなくともよい設計が可能となる。
【０１１４】
（第２の実施の形態）
次に、本発明の第２の実施の形態について図面を参照して詳細に説明する。図７及び図８は本発明になる携帯通信端末の第２の実施の形態の外観斜視図であり、図７は開状態、図８は閉状態（折り畳み状態）のときの図を示す。図９は本発明になる携帯通信端末の第２の実施の形態の本体の内部構成断面図を示す。図７乃至図９において、それぞれの同一機能の構成部分は同一符号を付してあり、また、図１、図２、図４と同一機能の構成部分には同一符号を付してある。この第２の実施の形態において、本体の回路構成は図３と同じである。なお、図９では、周辺デバイスとして図４のスピーカ９の替わりに、バイブモータ１０を一例として示している。
【０１１５】
図７、図８において本発明になる携帯通信端末の第２の実施の形態である折り畳み式携帯電話機１１０は、第１の表示部４を具備している第１の筐体１０１、第２の表示部５及びキー入力部６を具備している第２の筐体１１２、第１の筐体１０１と第２の筐体１１２をそれぞれ回動可能に結合しているヒンジ部２００とから構成される。更に、携帯電話機１１０は、第１の筐体１０１の前面にレシーバ用音孔７ａが形成されており、第２の筐体１１２の前面にはマイク用音孔８ａが形成されており、第２の筐体１１２の上端部にはアンテナ１が突設されており、更に第１の筐体１０１の前面と第２の筐体１１２の前面とには閉状態のときに互いに対向する位置に開閉検出部１０ａ、１０ｂが設けられている。開閉検出部１０ａと１０ｂとにより開閉検出手段１０が構成される。
【０１１６】
第１の筐体１０１と第２の筐体１１２はヒンジ部２００によって回動自在に結合され、両筐体を閉じた時や、開く時には第１の筐体１０１と第２の筐体１１２がそれぞれヒンジ部２００を中心に前面及び背面に回動するように構成されている。長手方向（ヒンジ部端から先端方向）において、第２の筐体１１２は第１の筐体１０１よりも長く構成されており、図７、図８に示す如く折り畳んだときに、第２の筐体１１２上の破線Ａと第１の筐体１０１の先端が重なるように構成する。
【０１１７】
以上の構成は第１の実施の形態と同様であるが、本実施の形態では、図７、図８に示す如く第２の筐体１１２が、前面の先端部をキー入力部６の面に対し、突出させている点に特徴がある。つまり、本実施の形態は、第２の筐体１１２上の破線Ａから第２の筐体先端部の厚みを、本体を閉じた時の本体の厚み以下で、第２の筐体１１２の破線Ａからヒンジ部端までの厚み以上の範囲で突出するように構成している点に特徴がある。
【０１１８】
なお、第１の筐体１０１の前面には第１の表示部４が、また第２の筐体１１２の前面には第２の表示部５とキー入力部６が実装され、第２の表示部５は第２の筐体１１２の先端側に、キー入力部６は第２の筐体１１２のヒンジ部端側にそれぞれ配置されている。このとき第２の表示部５は図７、図８、図９に示す如く、第２の筐体１１２上の破線Ａよりも、先端部側に配置され、ヒンジ部２００を中心に閉じた場合にも、第２の表示部５が第１の筐体１１２によって塞がれることなく、開閉時何れの状態においても第２の表示部５の表示内容を視認できるように構成されている。
【０１１９】
また、前述したように、第１の表示部４はレシーバ７（レシーバ用音孔７ａ）とマイク８（及びマイク用音孔８ａ）の間に配置されており、マイク８（及びマイク用音孔８ａ）は第１及び第２の筐体１０１及び１１２を開いたときにレシーバ７（及びレシーバ用音孔７ａ）から遠い位置に配置するのがよい。
【０１２０】
図７、図８において、マイク用音孔８ａはマイク８と共に第２の筐体の前面のヒンジ端から破線Ａの間の破線Ａ側、キー入力部６横に配置しているが、レシーバ７（及びレシーバ用音孔７ａ）とマイク８（及びマイク用音孔８ａ）の間に第１の表示部４が配置される構成であれば、携帯電話機１１０の本体或いは第１の筐体１０１、第２の筐体１１２の寸法に影響を与えない範囲で、任意の場所に実装可能である。例えば、第２の筐体１１２の先端部側に実装したり、第２の筐体１１２の前面のヒンジ部端側に実装したり、或いは第１の筐体１０１の前面のヒンジ部端側に実装してもよく、電話機としてはレシーバ７とマイク８の距離が開状態のときに離して実装している構成がよい。
【０１２１】
図９において、第２の筐体先端部には第２の表示部５が具備されており、第２の表示部５の厚み方向下方には周辺デバイスとしてバイブモータ１０が実装されている。図９に示すように、第２の筐体先端部は厚み方向で閉状態時の携帯電話機１１０の厚みより薄く（低く）、第２の筐体１１２のキー入力部６の厚みより厚く（高く）構成し、この部分にバイブモータのような部品形状やサイズの大きい部品を実装するように構成する。
【０１２２】
図９では周辺デバイスとしてのバイブモータ１０を第２の筐体先端部（第２の表示部５の下）に実装したが、携帯電話機１１０の機能に応じてカメラや、外部メモリカード等、様々な周辺デバイスを実装してもよいし、周辺デバイスに限らず、アンテナ１や無線回路２、制御部３などの全部または一部を実装してもよい。
【０１２３】
このように、本発明の第２実施の形態によれば、閉じたときでも第２の表示部５の表示が可能なように第２の筐体先端部分に第２の表示部５を実装し、長さを第１の筐体１０１より第２の表示部５の分だけ長く構成した第２の筐体１１２において、第１の筐体１０１と重なる部分には大型部品を配置せず、第１の筐体１０１とは重ならない部分に大型部品を実装することで、閉状態時の最大厚みを増加させず、長手方向にも長さを増加させることなく、薄型化、小型化を維持したまま携帯電話機１１０を構成することが可能である。
【０１２４】
（第３の実施の形態）
次に、本発明の第３の実施の形態について図面を参照して詳細に説明する。図１０及び図１１は本発明になる携帯通信端末の第３の実施の形態の外観斜視図であり、図１０は開状態、図１１は閉状態（折り畳み状態）のときの図を示す。図１０及び図１１において、それぞれの同一機能の構成部分は同一符号を付してあり、また、図１、図２、図４と同一機能の構成部分には同一符号を付してある。この第３の実施の形態において、本体の回路構成は図３と同じである。
【０１２５】
図１０、図１１において本発明になる携帯通信端末の第３の実施の形態である折り畳み式携帯電話機１２０は、第１の表示部４を具備している第１の筐体１０１、第２の表示部５及びキー入力部６を具備している第２の筐体１２２、第１の筐体１０１と第２の筐体１２２をそれぞれ回動可能に結合しているヒンジ部２００とから構成される。更に、携帯電話機１２０は、第１の筐体１０１の前面にレシーバ用音孔７ａが形成されており、第２の筐体１２２の前面にはマイク用音孔８ｂが形成されており、第２の筐体１２２の上端部にはアンテナ１が突設されており、更に第１の筐体１０１の前面と第２の筐体１２２の前面には閉状態のときに互いに対向する位置に開閉検出部１０ａ、１０ｂが設けられている。開閉検出部１０ａと１０ｂとにより開閉検出手段１０が構成される。
【０１２６】
第１の筐体１０１と第２の筐体１２２はヒンジ部２００によって接続され、第１の筐体１０１と第２の筐体１２２がそれぞれヒンジ部２００を中心に前面及び背面に回動するように構成されている。長手方向（ヒンジ部端から先端方向）において、第２の筐体１２２は第１の筐体１０１よりも長く構成されており、図１０、図１１に示す如く折り畳んだときに、第２の筐体１２２上の破線Ａと第１の筐体１０１の先端が重なるように構成する。
【０１２７】
以上の構成は第１及び第２の実施の形態と同様の構成であるが、本実施の形態は、図１０、図１１に示す如く第２の筐体１２２は、第２の筐体１２２上の破線Ａから第２の筐体先端部にかけて斜めになるように構成している点に特徴がある。つまり、第２の筐体先端部において、破線Ａ側の厚みが、携帯電話機１２０の本体の厚み以下で、第２の筐体先端部に向かうに従って薄くなるように、斜めに傾斜するように構成されている点に特徴がある。
【０１２８】
第１の筐体１０１の前面には第１の表示部４が、また第２の筐体１２２の前面には第２の表示部５とキー入力部６が実装され、第２の表示部５は第２の筐体の先端側に、キー入力部６は第２の筐体のヒンジ部端側にそれぞれ配置されている。このとき第２の表示部５は図１０、図１１に示す如く、第２の筐体１２２上の破線Ａよりも、先端部側に配置され、ヒンジ部２００を中心に閉じた場合にも、第２の表示部５が第１の筐体１０１によって覆われることなく、開閉時何れの状態においても第２の表示部５の表示内容を確認できるように構成されている。
【０１２９】
更に、第２の筐体１２２の前面先端部分の形状は、図１０、図１１に示す如く、破線Ａ側から第２の筐体先端部に向かうに従って薄くなるように構成しており、傾斜している面に合わせて第２の表示部５を搭載しているので、第２の表示部５もキー入力部６の面に対し傾斜して構成される。つまり、図１１のように閉じた状態において、第２の表示部５はｚ方向のみならず、ｙ方向への表示が可能になる。
【０１３０】
また、第１の表示部４はレシーバ７（及びレシーバ用音孔７ａ）とマイク８（及びマイク用音孔８ａ）の間に配置している。これは、ユーザーが電話として使用する場合に、耳にレシーバ７（及びレシーバ用音孔７ａ）を当てたときに、マイク８（及びマイク用音孔８ａ）が口に近づくことで、ユーザーの声を拾いやすくすることができるからである。ゆえに、マイク８（及びマイク用音孔８ｂ）は開状態のときにレシーバ７（及びレシーバ用音孔７ａ）から遠い位置に配置するのがよい。
【０１３１】
図１０において、マイク用音孔８ｂはマイク８と共に第２の筐体１２２の前面のヒンジ部端から破線Ａの間のヒンジ部端側に配置しているが、レシーバ７（及びレシーバ用音孔７ａ）とマイク８（及びマイク用音孔８ｂ）の間に第１の表示部４が配置される構成であれば、携帯電話機１２０の本体或いは第１の筐体１０１、第２の筐体１２２の寸法に影響を与えない範囲で、任意の場所に実装可能である。例えば、第２の筐体１２２の先端部側に実装したり、或いは第１の筐体１０１の前面のヒンジ部端側に実装してもよく、電話機としてはレシーバ７とマイク８の距離が本体１００を開いたときに離して実装している構成がよい。
【０１３２】
図１１において、第２の表示部５はｙ方向に対し、第２の筐体先端部から破線Ａ側へ斜めに傾斜しており、傾斜に沿って第２の表示部５が実装されている。つまり、第２の表示部５がｚ方向、ｙ方向それぞれに斜めに傾斜しているため、ｚ方向、ｙ方向の両方向から、第２の表示部５の表示を確認することができる。
【０１３３】
ユーザーは携帯電話機１２０を携帯する場合には、折り畳んで携帯している場合が多く、特に上着のポケットや、シャツの胸ポケット、あるいはホルダと共に腰に装着している場合が多い。このような場合、従来の携帯電話機では本体をポケットあるいはホルダから取り出し、第２の表示部５を確認していたが、本発明による携帯電話機１２０ではポケットあるいはホルダから本体の先端部を出すだけでｚ方向からの表示の確認が可能であると共に、ｙ方向からの表示の確認が行えるようになる。
【０１３４】
第３の実施の形態として本体内部の実装図は図示しないが、本発明の第２実施の形態と組み合わせることで、凸部の部分にバイブモータのような部品形状やサイズの大きい部品を実装するように構成することができ、薄型化、小型化を維持したまま本体を構成することができる。
【０１３５】
また、凸部の部分にはバイブモータ以外にも、携帯電話機も機能に応じてカメラや、外部メモリカード等、様々な周辺デバイス９を実装しても良いし、周辺デバイス９に限らず、アンテナ１や無線回路２、制御部３などの全部または一部を実装してもよい。
【０１３６】
このように、本発明の第３実施の形態によれば、閉じたときでも第２の表示部５の表示が可能なように第２の筐体先端部分に第２の表示部５を実装し、長さを第１の筐体１０１より第２の表示部５の分だけ長く構成した第２の筐体１２２において、第２の筐体１２２の前面の先端部を、閉状態時の本体の厚み以下で、第２の筐体先端部に向かうに従って薄くなるように、斜めに傾斜するように構成されており、傾斜に添って第２の表示部５が実装されているので、第２の筐体１２２のキー入力部６の面を水平方向としたときに上方向（垂直方向）及び、横方向（水平方向）の両方向からの表示内容の確認ができる。
【０１３７】
また、実使用シーンにおいて、ユーザーは携帯電話機１２０を携帯する場合には、折り畳んで携帯している場合が多く、特に上着のポケットや、シャツの胸ポケット、あるいはホルダと共に腰に装着している場合が多い。このような場合、従来の携帯電話機では本体をポケットあるいはホルダから取り出し、第２の表示部を確認していたが、本実施の形態の携帯電話機１２０ではポケットあるいはホルダから本体の先端部を出すだけで第２の表示部５の確認が可能であると共に、上方向及び横方向の両方向からの表示の確認が行えるようになるため、さらに利便性が向上する。また、先端部は閉状態時に、第１の筐体先端部と第２の筐体１２２が重なった部分から、先端部にかけて自然に薄くできるため、デザイン性が向上すると共に、先端部が傾斜していることにより、より薄く見える効果がある。
【０１３８】
（第４の実施の形態）
次に、本発明の第４の実施の形態について図面を参照して詳細に説明する。図１２及び図１３は本発明になる携帯通信端末の第４の実施の形態の構成を示す図で、図１２は第４の実施の形態の携帯電話機１３０が閉状態であるときの内部構成を示す断面図、図１３は第２の表示部５の構成を示す図である。この第４の実施の形態の携帯電話機１３０の外観斜視図、及び回路構成は図１、図３と同じであるので、その説明は省略する。なお、図１２において、図１、図２、図３と同一の機能の構成部分は同一符号を付し、その説明は省略する。ただし、図３の周辺デバイス９は図１２には特に図示していないが、携帯電話機１３０の本体或いは第１の筐体１０１、第２の筐体１０２の寸法に影響を与えない範囲で任意の場所に実装可能である。
【０１３９】
本実施の形態と第１の実施の形態との違いは第２の表示部５０の構成であるので、その相違する構成について説明する。図１２及び図１３において、本実施の形態の携帯電話機１３０の第２の表示部５０は、表示器５ａ’、スクリーン５ｂ、発光素子群５ｃ及びスペーサ５ｄから構成される。表示器５ａ’は電池残量を示す印や、アンテナバーを示す印といった固定された印の形で型抜きされたパネルである。つまり、表示器５ａ’は印の形の部分だけ光が通り、印の形以外の部分は遮光するように構成されている。このため、表示器５ａ’は非透過性のもので構成するのがよく、印の形の部分だけ光が通り、印の形以外の部分は遮光するようなものであれば材質は制限しない。
【０１４０】
スクリーン５ｂは、表示器５ａ’を保護するもので、携帯電話機では一般的にプラスチックやアクリル等の透明樹脂で構成される。なお、図１２では表示器５ａ’とスクリーン５ｂを分けて示したが、表示器５ａ’と５ｂを一つの構成としてもよい。発光素子群５ｃは、図１３に示す発光素子ｃ１〜ｃ０の素子全体を示し、第４の実施の形態での第２の表示部５０の表示のための光源であり、発光ダイオード等の発光素子で構成される。なお、図１３では、発光素子群５ｃは、１０個の発光素子ｃ１〜ｃ０を一次元に配列した構成としたが、表示器５ａ’の印の数に合わせて必要な数量が準備され、また配列は一次元の直線配列以外の配列でもよい。
【０１４１】
スペーサ５ｄは、発光素子群５ｃと表示器５ａ’との距離を一定に保つと共に、発光素子群５ｃと表示器５ａ’をそれぞれ構造的な干渉から保護し、更に発光素子群５ｃの部品を囲うことで、光漏れを防止するためのものである。スペーサ５ｄは、非透過性のものであれば材質は問わないが、樹脂モールドで構成するのがよい。このように、ＬＣＤや有機ＥＬのような表示器を使わず、印の形状に型抜きされたパネルと発光ダイオード等によって、第２の表示部５０が構成でき部品コストを抑制することができる。更に、表示部としてＬＣＤで構成する場合には表示制御用にクロック信号が必要であるが、本実施の形態では第２の表示部５０としてＬＣＤを使わないので、第２の表示部用のクロック信号が不要になりノイズが軽減され、良好な無線特性が得られる。
【０１４２】
図１２において、第１の筐体１０１と第２の筐体１０２はヒンジ部２００によって回動自在に結合されており、ヒンジ部２００を中心に第１の筐体１０１と第２の筐体１０２をそれぞれ前面に回動して閉状態としたときには、第２の筐体１０２は第１の筐体１０１よりも長く構成しており、第２の筐体１０２上の破線Ａと第１の筐体１０１の先端が重なるように構成されていることは第１の実施の形態と同様である。
【０１４３】
このとき第２の表示部５０は第２の筐体１０２上の破線Ａよりも、先端部側に配置され、携帯電話機１３０の閉状態であっても、第２の表示部５０が第１の筐体１０１によって覆われることなく、開閉時何れの状態においても第２の表示部５０の表示内容を視認できるように構成されている。
【０１４４】
また、一般的にＬＣＤはＬＣＤモジュールとして、プリント板３０１を接続するためのＦＰＣ（Flexible Printed Circuits）が接続されており、このＬＣＤからのＦＰＣとプリント板を接続するために、各種のコネクタを使用して接続したり、熱圧着によりＦＰＣをプリント板に直接接続しているが、携帯電話機の使用状況として携帯性に優れている反面、落下や衝撃を受けることも多く、しばしばＦＰＣとプリント板の接続が外れたり、接続不良を起こし、表示欠けあるいは表示しない問題を起こすことがあった。
【０１４５】
しかし、本実施の形態の携帯電話機１３０は、第２の表示部５０はＬＣＤではなくパネル及びプリント板３０４上に実装した発光ダイオード５ｃ（ｃ１〜ｃ０）によって構成しているため、落下や衝撃に強く、表示欠け、あるいは表示しない問題を起こすことが低減される。なお、プリント板３０４には電子回路部品３０５が搭載されている。
【０１４６】
また、第１の実施の形態では日付情報や時刻情報は第２の表示器５に表示させるように構成してもよかったが、第４の実施の形態においては、日付情報や時刻情報は第１の表示部４に表示するものとして、第２の表示部５０には図１３の表示器５ａ’に示したような情報を、キャラクタやマーク等で表現できるもので構成する。
【０１４７】
図１３の表示器５ａ’には、第４の実施の形態の携帯電話機１３０の第２の表示部５０の表示内容の一例を示す。第２の表示部５０には開閉時に関わらず常にユーザーへ情報提供する内容を表示させる。図１３の表示器５ａ’において表示の一例として図示した印は、図中、左側から、電池残量を示す印ａ１、発呼及び通話中を示す印ａ２、時計アラーム設定有無を示す印ａ３、電話着信及び不在着信を示す印ａ４、伝言メッセージ有無を示す印ａ５、バイブモータ起動設定有無を示す印ａ６、メール送受信及び未読メール有無を示す印ａ７、スケジュール設定有無を示す印ａ８、マナーモード設定有無を示す印ａ９、アンテナバー（基地局との通信可否または通信可能なレベル）を示す印ａ０を示している。
【０１４８】
上記は表示内容の一例であり、必要に応じて携帯電話機１３０に搭載された機能や周辺デバイスに応じて表示させるべき印の数や種類を選択し、機能に応じてその機能の動作状態を示す印を表示させるように構成できる。
【０１４９】
ここで、発光素子群５ｃは上記の印ａ１〜ａ０のそれぞれに照光用の発光素子として、それぞれｃ１〜ｃ０で構成している。発光素子群５ｃはそれらの一部もしくは全部を多色ＬＥＤで構成してもよい。この場合には、例えば電池残量を示す印ａ１のレベルを表わす際に、青ならレベル３、緑ならレベル２、黄色ならレベル１、赤ならレベル０といったように、印が固定された表示器においても色によって定量的な情報を付け加えることができる。
【０１５０】
また、点灯と点滅によって、示す情報の内容を変えたり、点滅パターンによって定量的な情報を付け加えてもよい。更に、明るさを変化させた光量の強弱によって定量的な情報を付け加えてもよい。また、第２の表示部５０では設定有無の情報に止めておいて、詳細情報や定量的な情報は、第１の表示部４に表示するようにしてもよい。
【０１５１】
次に、本発明の第４の実施の形態の動作を説明する。図１３に示す第２の表示部５０の表示において、携帯電話機が動作している状態で、電池残量が十分あり、基地局との通信状態が良好な場合には、電池残量を示す印ａ１とアンテナバーを示す印ａ０が点灯する。このときの動作としては、制御部３が発光素子ｃ１とｃ０をオンし、表示器５ａ’の型抜きされた印の部分に沿って発光素子ｃ１とｃ０からの光が透過するから、電池残量を示す印ａ１とアンテナバーを示す印ａ０が点灯しているように見えるのである。
【０１５２】
例えばユーザーによって、マナーモード設定を有りにした場合には、制御部３は発光素子ｃ９をオンし、表示器５ａ’のマナーモード設定有無を示す印ａ９の形状で光が通るため、マナーモード設定有無を示す印ａ９が点灯する。
【０１５３】
また、携帯電話機１３０への着信があった場合には、制御部３は発光素子ｃ４をある一定の周期でオン／オフを交互に繰り返し、この発光素子ｃ４からの光が表示器５ａ’の電話着信及び不在着信を示す印ａ４の形状で透過するため、電話着信及び不在着信を示す印ａ４が点滅する。ユーザーは第２の表示部５の表示において電話着信及び不在着信を示す印ａ４が点滅していることから、携帯電話機への電話着信が有ることを認識する。
【０１５４】
発光素子群５ｃの中で、一部もしくは全部を多色ＬＥＤで構成している場合には、例えばｃ１を多色ＬＥＤで構成した場合には、制御部３は電池３０３の電池残量を監視し、電池残量が十分にある場合にはｃ１を青色で光るように制御し、電池残量が少ない場合には赤色で光るように制御して、色を変える事で定量的な情報を付け加えるようにしてもよい。このようにしてユーザーは第２の表示部５０から、携帯電話機１３０の種々の動作状態や、設定有無を確認することができる。
【０１５５】
また、第４の実施の形態において、前記第２の実施の形態と組み合わせることで、凸部の部分にバイブモータのような部品形状やサイズの大きい部品を実装するように構成することができ、薄型化、小型化を維持したまま携帯電話機を構成することができる。
【０１５６】
また、凸部の部分にはバイブモータ以外にも、携帯電話機の機能に応じてカメラや、外部メモリカード等、様々な周辺デバイスを実装してもよいし、周辺デバイスに限らず、アンテナ１や無線回路２、制御部３などの全部または一部を実装しても良い。
【０１５７】
さらに、第４の実施の形態を第３の実施の形態と組み合わせた場合には、第２の表示部５０はＬＣＤで構成することにより、より広角度な範囲において第２の表示部５０の表示内容の視認性が向上するため、さらに見易くすることができる。
【０１５８】
このように、第４の実施の形態によれば、第２の表示部５０としてＬＣＤではなく樹脂等によるパネルとＬＥＤ等による発光素子から構成でき、これにより部品コストを抑制することができる。また、部品コストが削減できるため、装置本体の価格を低減でき、ユーザーに対しても安価な値段で提供できるという相乗効果がある。また、特に、この第４の実施の形態を第３の実施の形態と併用した場合には、ＬＣＤの特性上の問題である視野角によるＬＣＤの視認性を気にせずに構成できるため、斜め方向からの視認においても第２の表示部５０の情報をかなりの広角度で得られることができ、ユーザーにとって利便性が向上する。また、第２の表示部としてＬＣＤを使わないので、第２の表示部用のクロック信号が不要になりノイズが軽減され、良好な無線特性を得られる。
【０１５９】
なお、以上の実施の形態では折り畳み式携帯電話機に適用した場合について説明したが、本発明はこれに限定されるものではなく、ＰＨＳ（Personal Handy phone System）、ＰＤＡ（Personal Data Assistance, Personal Digital Assistants：個人向け携帯型情報通信機器）等の他の携帯通信端末にも本発明を適用することができる。
【０１６０】
また、本発明は第１の筐体と第２の筐体の長さを互いに異にし、長い方の筐体の、短い方の筐体により隠れない（覆われない）部分に表示部を配置した携帯通信端末であればよく、折り畳み式に限定されるものではなく、第１及び第２の筐体を互いに反対方向にスライド可能な状態で結合したスライド式、第１及び第２の筐体の各他端部分付近の一つの回転軸を中心として水平面上を回転するリボルバー式、更には２軸式（すなわち、水平面の回動と一方の筐体の裏返しとができる構造）などにも適用可能である。
【図面の簡単な説明】
【０１６１】
【図１】本発明の第１の実施の形態の外観斜視図（開状態）である。
【図２】本発明の第１の実施の形態の外観斜視図（閉状態）である。
【図３】本発明の一実施の形態の回路構成図である。
【図４】本発明の第１の実施の内部構成を示す断面図である。
【図５】本発明の第１〜３の実施の形態の第２の表示部の表示画像の一例を示す図である。
【図６】本発明の第１〜３の実施の形態の第１の表示部の表示画像の一例を示す図である。
【図７】本発明の第２の実施の形態の外観斜視図（開状態）である。
【図８】本発明の第２の実施の形態の外観斜視図（閉状態）である。
【図９】本発明の第２の実施の内部構成を示す断面図である。
【図１０】本発明の第３の実施の形態の外観斜視図（開状態）である。
【図１１】本発明の第３の実施の形態の外観斜視図（閉状態）である。
【図１２】本発明の第４の実施の内部構成を示す断面図である。
【図１３】本発明の第４の実施の形態の第２の表示部の構成図である。
【図１４】従来の表示部を２つ持つ折り畳み式携帯電話機の第１の筐体の厚み寸法の一例の説明図である。
【図１５】従来の折り畳み式携帯電話機の第１の筐体の長さ寸法の一例の説明図である。
【図１６】従来の携帯電話機の第１の表示部の表示内容の一例を示す図である。
【符号の説明】
【０１６２】
１  アンテナ
２  無線回路
３  制御部
４  第１の表示部
４ａ、５ａ、５ａ'  表示器
４ｂ、５ｂ、５ｂ'  スクリーン
５、５０  第２の表示部
５ｃ  発光素子群
５ｄ  スペーサ
６  キー入力部
６ａ  補助スイッチ
７  レシーバ
７ａ  レシーバ用音孔
８  マイク
８ａ、８ｂ  マイク用音孔
９  周辺デバイス
１０  開閉検出手段
１００、１１０、１２０、１３０  折り畳み式携帯電話機
１０１  第１の筐体
１０２、１１２、１２２  第２の筐体
２００  ヒンジ部
３０１、３０４  プリント板
３０２、３０５  電子回路部品
３０３  電池  
ａ１〜ａ０  印
ｃ１〜ｃ０  発光素子  
【図１】
2006261721.tif 000003
【図２】
2006261721.tif 000004
【図３】
2006261721.tif 000005
【図４】
2006261721.tif 000006
【図５】
2006261721.tif 000007
【図６】
2006261721.tif 000008
【図７】
2006261721.tif 000009
【図８】
2006261721.tif 000010
【図９】
2006261721.tif 000011
【図１０】
2006261721.tif 000012
【図１１】
2006261721.tif 000013
【図１２】
2006261721.tif 000014
【図１３】
2006261721.tif 000015
【図１４】
2006261721.tif 000016
【図１５】
2006261721.tif 000017
【図１６】
2006261721.tif 000018